(57)【要約】【課題】２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができる排水システムを提供する。【解決手段】室内衛生設備４０からの排水を落下させる落下部２３、この落下部２３からの排水を排水集合管継手１０へと導く水平部２５、及び、落下部２３の下端と水平部２５の一端とを接続する屈曲部２４を有する横枝管２０が、他の横枝管３０と略対向状態で排水集合管継手１０に接続された排水システム１において、屈曲部２４に、落下部２３からの排水が屈曲部２４の外周側の内面に沿った後、水平部２５の管頂へ向かって飛び上がるのを抑制する飛躍抑制手段２６が設けられたことを特徴とするものである。【選択図】  図１
2008081925.tif 000002
【特許請求の範囲】
【請求項１】
室内衛生設備からの排水を落下させる落下部、この落下部からの排水を排水集合管継手へと導く水平部、及び、前記落下部の下端と前記水平部の一端とを接続する屈曲部を有する横枝管が、他の横枝管と対向状態または対向状態に近い状態で排水集合管継手に接続された多層建築物の排水システムにおいて、
前記屈曲部に、前記落下部からの排水が該屈曲部の外周側の内面に沿った後、前記水平部の管頂へ向かって飛び上がるのを抑制する飛躍抑制手段が設けられたことを特徴とする排水システム。
【請求項２】
前記飛躍抑制手段は、前記屈曲部において前記落下部下端の管断面を投影した領域の形状が、前記水平部の管底と同一形状または同一に近い形状とされたものであることを特徴とする請求項１に記載の排水システム。
【請求項３】
前記落下部には、前記屈曲部において前記水平部の一端の管断面を投影した領域へ、落下する排水を導く排水案内手段が設けられたことを特徴とする請求項２に記載の排水システム。
【請求項４】
室内衛生設備からの排水を落下させる落下部、この落下部からの排水を排水集合管継手へと導く水平部、及び、前記落下部の下端と前記水平部の一端とを接続する屈曲部を有する横枝管が、他の横枝管と対向状態または対向状態に近い状態で排水集合管継手に接続された多層建築物の排水システムにおいて、
前記屈曲部に、前記落下部からの排水が前記水平部の管壁に沿って旋回しながら流れるのを抑制する旋回流抑制手段が設けられたことを特徴とする排水システム。
【請求項５】
前記旋回流抑制手段は、前記屈曲部において前記落下部下端の管断面を投影した領域の形状が、前記水平部の管底と同一形状または同一に近い形状とされたものであることを特徴とする請求項４に記載の排水システム。
【請求項６】
前記落下部には、前記屈曲部において前記水平部の一端の管断面を投影した領域へ、落下する排水を導く排水案内手段が設けられ、
前記旋回流抑制手段は、さらに、前記排水案内手段により前記領域に導かれた排水と衝突する排水衝突手段が前記領域に設けられたものであることを特徴とする請求項５に記載の排水システム。
【請求項７】
前記排水衝突手段は、前記屈曲部において前記水平部の一端の管断面を投影した領域が、前記水平部の管軸と垂直な平面または垂直に近い平面とされたものであることを特徴とする請求項６に記載の排水システム。
【請求項８】
前記排水衝突手段は、さらに、前記屈曲部において前記水平部の一端の管断面を投影した領域が、外側に膨出されたものであることを特徴とする請求項７に記載の排水システム。
【発明の詳細な説明】
【技術分野】
【０００１】
本発明は、多層建築物の排水立て管に対して各階ごとに介設された排水集合管継手と、この排水集合管継手に複数本接続された横枝管とを備えた排水システムに関する。
【背景技術】
【０００２】
集合住宅、ホテル、および、病院などの多層建築物においては、排水のために、各階を縦方向に貫いた排水立て管が配管されている。また、この排水立て管には各階ごとに排水集合管継手が介設され、それぞれの排水集合管継手に複数本の横枝管が接続された構造となっている。例えば、多層建築物に使用された場合、横枝管は、一端が住居内に設置されているトイレ、風呂、流し、および、洗面台などの室内衛生設備の排水管に接続され、また、他端が上記した排水集合管継手に接続されており、室内衛生設備からの排水を排水集合管継手まで流すようにされている。
【０００３】
また、このような排水集合管継手には複数本の横枝管の管口が略同じ高さで接続され、また、それらのうちの２本の横枝管が略対向状態（相互の管口が対峙した状態）で接続されることも少なくない。このような接続状態で、トイレ排水などの勢いの強い排水が一方の横枝管から排水集合管継手へと流れると、排水の勢いが強いことから、排水が排水集合管継手を飛び越して対向する他方の横枝管内に流入してしまうことがある。トイレ排水中には当然のことながら汚物が多量に含まれているため、トイレ排水が他方の横枝管内に流入したのち排水集合管継手に流れ落ちずそのまま残存すると、この他方の横枝管から屋内へと悪臭が上がってくるといった問題があった。
【０００４】
この対向する横枝管に勢いの強い排水が流入する仕組みについて、壁排水式のトイレ排水の具体例を用いて説明する。
【０００５】
一般的な壁排水式のトイレ１４０に接続される横枝管１２０は、図１０および図１１に示すように、導入部１２１、第１屈曲部１２２、落下部１２３、第２屈曲部１２４及び水平部１２５を備えており、排水は、トイレ１４０の排水管１４１に接続された導入部１２１を通り、第１屈曲部１２２により下方向に曲げられ落下部１２３を落下し、次いで第２屈曲部１２４により水平方向に曲げられ水平部１２５を通って排水集合管継手１１０へと流れるような構造を有している。
【０００６】
図１０に示す排水システム１００の横枝管１２０は、図１０（ｂ）に示すように、上方視において導入部１２１の管軸と水平部１２５の管軸とのなす角が１８０度となっている。このような横枝管１２０において、トイレ排水は、第１屈曲部１２２から落下することによって水勢が強くなった後、第２屈曲部１２４の外周側の内面に沿った後、その強い水勢によって、図中矢符で示すように、上方向へとジャンプしてしまう。また、壁排水式のトイレ配管は２つの屈曲部１２２、１２４を有しており、第２屈曲部１２４から排水集合管継手１１０までの距離が短いため、水平部１２５が短くなってしまうことが多い。従って、上記のようにジャンプした排水が水平部１２５の管底に着地することなく排水集合管継手１１０を飛び越えてしまい、対向する横枝管１３０に流入してしまっていた。
【０００７】
一方、図１１に示す排水システム１００の横枝管１２０は、図１１（ｂ）に示すように、上方視において導入部１２１の管軸と水平部１２５の管軸とのなす角が９０度となっている。このような横枝管１２０において、トイレ排水は、第１屈曲部１２２によって落下部１２３の側壁（図１１（ａ）において紙面手前側）に沿って落下した後、第２屈曲部１２４の外周側の内面に沿うため、図中矢符で示すように、水平部１２５の管壁に沿って旋回しながら流れてしまう。上述したように、壁排水式のトイレ配管においては、横枝管１２０の水平部１２５が短くなってしまうことが多いため、旋回流となった排水が排水集合管継手１１０で頂点に達してしまうと、排水集合管継手１１０を飛び越えることがあり、その際、対向する横枝管１３０に流入してしまっていた。
【０００８】
なお、排水システム１００の横枝管１２０は、上方視において、導入部１２１と水平部１２５との管軸のなす角が、図１０に示すような１８０度や図１１に示すような９０度の場合ばかりではなく、例えば、図１２に示すように、９０度超から１８０度未満の間の角度で配置されることもある。その場合の排水は、上方視において、横枝管１２０の導入部１２１と水平部１２５との管軸のなす角が１３５度を境にして、１８０度に近いと水平部１２５の管頂に向かってジャンプする流れが強くなり、また、９０度に近いと水平部１２５の管壁に沿って旋回する流れが強くなってしまう（図１２（ｂ）参照）。
【０００９】
したがって、排水システム１００の横枝管１２０は、上方視において、導入部１２１と水平部１２５との管軸のなす角が９０度超から１８０度未満の間の角度となっていても、排水が排水集合管継手１１０を飛び越えることがあり、その際、対向する横枝管１３０に流入してしまっていた。
【００１０】
そこで、このような対向する横枝管への排水の流入を防止するための排水集合管継手が特許文献１に提案されている。この排水集合管継手は、２つの管口を直交する向きに設けるとともに、そのうちの一方の管口に一体的にエルボー継手を設けるというものである。この発明においては、排水集合管継手に接続された２つの横枝管が対向しないため、トイレ排水などの勢いの強い排水が一方の横枝管から他方の横枝管内に流入するといったことがない。
【特許文献１】特開２００４−８４３９４号公報
【発明の開示】
【発明が解決しようとする課題】
【００１１】
しかしながら、多層建築物においては、排水集合管継手を設置するための配管スペースは限られており、上記した排水集合管継手は一体的にエルボー継手を有しその分体積が大きくならざるを得ないことから、配管スペースに収まりきらないという問題があった。
【００１２】
また、このような排水集合管継手を製造する際には、排水集合管継手とエルボー継手とを一体的に成形するため、複雑な形状の金型が必要となってしまい、製造コストが増加するといった問題があった。
【００１３】
本発明は係る実情に鑑みてなされたもので、その目的は、２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができる排水システムを提供することにある。
【課題を解決するための手段】
【００１４】
上記課題を解決するため、本発明の排水システムは、室内衛生設備からの排水を落下させる落下部、この落下部からの排水を排水集合管継手へと導く水平部、及び、前記落下部の下端と前記水平部の一端とを接続する屈曲部を有する横枝管が、他の横枝管と対向状態または対向状態に近い状態で排水集合管継手に接続された多層建築物の排水システムにおいて、前記屈曲部に、前記落下部からの排水が該屈曲部の外周側の内面に沿った後、前記水平部の管頂へ向かって飛び上がるのを抑制する飛躍抑制手段が設けられたことを特徴とする。
【００１５】
このような本発明によれば、屈曲部に、落下部からの排水が屈曲部の外周側の内面に沿った後、水平部の管頂へ向かって飛び上がるのを抑制する飛躍抑制手段が設けられたものであるので、排水が排水集合管継手を飛び越えて対向する横枝管に侵入するといったことを防ぐことができる。
【００１６】
また、前記飛躍抑制手段は、前記屈曲部において前記落下部下端の管断面を投影した領域の形状が、前記水平部の管底と同一形状または同一に近い形状とされたものであってもよい。
【００１７】
すなわち、屈曲部において落下部下端の管断面を投影した領域が、水平部の管底を延長したような形状とされている。
【００１８】
この場合、飛躍抑制手段は、屈曲部において落下部下端の管断面を投影した領域（以下、屈曲部の管底という）の形状が水平部の管底と同一形状または同一に近い形状とされたものであり、従来とは異なり屈曲部の管底には水平部方向への大きな勾配が設けられていないため、落下した排水は屈曲部の外周側の内面に沿うことなく、屈曲部の管底と衝突し水勢が弱められる。
【００１９】
したがって、排水は、水平部の管頂に向かって飛び上がることがなく、排水集合管継手を飛び越えて対向する横枝管に侵入するといったことが発生しない。
【００２０】
また、前記落下部には、前記屈曲部において前記水平部の一端の管断面を投影した領域へ、落下する排水を導く排水案内手段が設けられたものであってもよい。
【００２１】
この場合、落下部には、屈曲部において水平部の一端の管断面を投影した領域（以下、屈曲部の端面という）へ、排水を導く排水案内手段が設けられているので、排水は排水案内手段によって屈曲部の端面に衝突し水平部方向に跳ね返り、排水を水平部へと円滑に流すことができる。
【００２２】
すなわち、上記飛躍抑制手段が設けられると、落下した排水が屈曲部の管底に衝突して上方に跳ね返った後、次いで落下する排水と衝突するため、落下部で排水が詰まったような状態となり、水平部へ排水が流れにくくなることがある。これにより落下部と室内衛生設備との間の横枝管が排水によって満管状態となると、室内衛生設備の排水口から水が溢れ出したり、最終的に排水が流れる際にサイフォン現象により室内衛生設備の封水まで流れてしまったりするといった虞があった。
【００２３】
しかしながら、排水案内手段が落下する排水を屈曲部の端面へと導くため、排水は屈曲部の端面に衝突した後、水平部方向へ跳ね返り、水平部へと円滑に流れていくこととなり、次々と落下してくる排水の流れは妨げられず、落下部と室内衛生設備との間の横枝管が排水によって満管状態となることがない。
【００２４】
また、上記飛躍抑制手段が設けられると、屈曲部の外周側の内面を水が流れていかないため、汚物が滞留しやすかったが、落下部に排水案内手段が設けられていることにより、屈曲部の外周側の内面にも水勢の強い排水が流れるようになり、汚物をその水勢によって排水集合管継手へと流すことができ、横枝管内に汚物が滞留するといったことを防止することができる。
【００２５】
また、本発明の排水システムは、室内衛生設備からの排水を落下させる落下部、この落下部からの排水を排水集合管継手へと導く水平部、及び、前記落下部の下端と前記水平部の一端とを接続する屈曲部を有する横枝管が、他の横枝管と対向状態または対向状態に近い状態で排水集合管継手に接続された多層建築物の排水システムにおいて、前記屈曲部に、前記落下部からの排水が前記水平部の管壁に沿って旋回しながら流れるのを抑制する旋回流抑制手段が設けられたことを特徴とする。
【００２６】
このような本発明によれば、屈曲部に、落下部からの排水が水平部の管壁に沿って旋回しながら流れるのを抑制する旋回流抑制手段が設けられたものであるので、排水が排水集合管継手を飛び越えて対向する横枝管に侵入するといったことを防ぐことができる。
【００２７】
また、前記旋回流抑制手段は、前記屈曲部において前記落下部下端の管断面を投影した領域の形状が、前記水平部の管底と同一形状または同一に近い形状とされたものであってもよい。
【００２８】
すなわち、屈曲部において落下部下端の管断面を投影した領域が、水平部の管底を延長したような形状とされている。
【００２９】
この場合、旋回流抑制手段は、屈曲部において落下部下端の管断面を投影した領域（以下、屈曲部の管底という）の形状が水平部の管底と同一形状または同一に近い形状とされたものであり、従来とは異なり屈曲部の管底には水平部方向への大きな勾配が設けられていないため、落下した排水は屈曲部の管底に沿ってその場で旋回しようとするが、その排水は屈曲部の外周側の内面に沿って強い水勢のまま水平部へと流れるといったことがない。すなわち、屈曲部の管底に沿ってその場で旋回しようとする排水は、次いで落下してくる排水と衝突し、その旋回が抑制されるため、旋回流とならずに水平部へと流れることとなる。
【００３０】
したがって、排水は、水平部の管壁に沿って旋回して流れるといったことがなく、排水集合管継手を飛び越えて対向する横枝管に侵入するといったことが発生しない。
【００３１】
また、前記落下部には、前記屈曲部において前記水平部の一端の管断面を投影した領域へと、落下する排水を導く排水案内手段が設けられ、前記旋回流抑制手段は、さらに、前記排水案内手段により前記領域に導かれた排水と衝突する排水衝突手段が前記領域に設けられたものであってもよい。
【００３２】
この場合、落下部には、屈曲部において水平部の一端の管断面を投影した領域（以下、屈曲部の端面という）へ排水を導く排水案内手段が設けられており、また、排水案内手段に導かれた排水と衝突する排水衝突手段が屈曲部の端面に設けられているので、排水は排水案内手段によって排水衝突手段に衝突し水平部方向に跳ね返り、排水を水平部へと円滑に流すことができる。
【００３３】
すなわち、上記旋回抑制手段が設けられると、落下した排水が屈曲部の管底に沿ってその場で旋回した後、次いで落下する排水と衝突するため、落下部で排水が詰まったような状態となり、水平部へ排水が流れにくくなることがある。これにより落下部と室内衛生設備との間の横枝管が排水によって満管状態となると、室内衛生設備の排水口から水が溢れ出したり、最終的に排水が流れる際にサイフォン現象により室内衛生設備の封水まで流れてしまったりするといった虞があった。
【００３４】
しかしながら、排水案内手段が落下する排水を排水衝突手段へと導くため、排水は排水衝突手段に衝突した後、水平部方向へ跳ね返り、旋回流となることなく水平部へと円滑に流れていくこととなり、次々と落下してくる排水の流れは妨げられず、落下部と室内衛生設備との間の横枝管が排水によって満管状態となることがない。
【００３５】
また、上記旋回流抑制手段が設けられると、屈曲部の外周側の内面を水が流れていかないため、汚物が滞留しやすかったが、落下部に排水案内手段が設けられていることにより、屈曲部の外周側の内面にも水勢の強い排水が流れるようになり、汚物をその水勢によって排水集合管継手へと流すことができ、横枝管内に汚物が滞留するといったことを防止することができる。
【００３６】
また、前記排水衝突手段は、前記屈曲部において前記水平部の一端の管断面を投影した領域が、前記水平部の管軸と垂直な平面または垂直に近い平面とされたものであってもよい。
【００３７】
この場合、排水衝突手段は簡単な構造であるので、容易に形成することができ、製造コストを抑えることができる。
【００３８】
また、前記排水衝突手段は、さらに、前記屈曲部において前記水平部の一端の管断面を投影した領域が、外側に膨出されたものであってもよい。
【００３９】
この場合、排水衝突手段は、さらに、屈曲部の端面が外側に膨出されたものであるので、排水案内手段により導かれた排水は排水衝突手段に衝突し跳ね返った後、膨出された領域で、次いで排水案内手段により導かれた排水に衝突するため、排水の水勢を弱めることができる。
【００４０】
したがって、排水が排水集合管継手を飛び越えて対向する横枝管へ流入するといったことが発生しない。
【発明の効果】
【００４１】
本発明の排水システムは、２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができるといった効果を奏する。
【発明を実施するための最良の形態】
【００４２】
以下、本発明の実施の形態について、図面を参照して説明する。
【００４３】
［実施の形態１］
本実施の形態の排水システムを壁排水タイプのトイレ配管に適用した例について、図１乃至図５に基づいて説明する。
【００４４】
図１（ａ）は本実施の形態における排水システムを示す側面図、図１（ｂ）は排水システムを示す平面図、図２乃至図５は排水システムにおける各実施例の第２の屈曲部周辺を示す図であり、これら図２乃至図５において、それぞれ、（ａ）は平面図、（ｂ）は正面図、および、（ｃ）は側断面図ある。
【００４５】
本実施の形態の排水システム１は、排水集合管継手１０と、対向する２本の横枝管２０、３０とを備えている。
【００４６】
なお、本実施の形態における排水システム１は、上方視において、後述する横枝管２０の導入部２１と水平部２５との管軸のなす角が１３５度超から１８０度以下の間の角度で配置されたものである。
【００４７】
上記排水集合管継手１０は、多層建築物などの各階を縦方向に貫いて配管された排水立て管５０に対して各階ごとに介設されたものである。排水集合管継手１０には後述する横枝管２０、３０が複数本接続されており、そのうち２本の横枝管２０、３０の管口が排水集合管継手１０内で略同じ高さで対向状態となっている。
【００４８】
上記横枝管２０は、一端が住居内のトイレ、風呂、流し、および、洗面台などの室内衛生設備（本実施の形態においてはトイレ４０）の排水管４１に接続され、他端が排水集合管継手１０に接続されている。また、横枝管２０は、図１に示すように、導入部２１、第１の屈曲部２２、落下部２３、第２の屈曲部２４及び水平部２５を備えており、トイレ４０からの排水が、その排水管４１に接続された導入部２１を通り、第１の屈曲部２２により下方向に曲げられ落下部２３を落下し、次いで第２の屈曲部２４により水平方向に曲げられ水平部２５を通って排水集合管継手１０へと流れるような構造を有している。
【００４９】
上記導入部２１は、トイレ排水管４１に接続される部分である。また、導入部２１は、トイレ４０の設置場所に応じて、上方視において、導入部２１と水平部２５との管軸のなす角が１３５度超から１８０度以下の間の角度となるように、後述する第１の屈曲部２２に接続される。
【００５０】
上記第１の屈曲部２２は、導入部２１と後述する落下部２３とを接続する部分である。
【００５１】
上記落下部２３は、導入部２１の排水を後述する水平部２５の高さ位置まで落下させるための部分である。
【００５２】
上記第２の屈曲部２４は、落下部２３と後述する水平部２５とを接続する部分である。また、第２の屈曲部２４には、落下部２３からの排水が第２の屈曲部２４の外周側の内面に沿った後、後述する水平部２５の管頂へ向かって飛び上がるのを抑制する飛躍抑制手段２６が設けられている。
【００５３】
上記飛躍抑制手段２６は、落下部２３からの排水が第２の屈曲部２４の外周側の内面に沿った後、後述する水平部２５の管頂へ向かって飛び上がるのを抑制するものであれば特に限定するものではなく、例えば、図２に示すようなものや、図３に示すようなものなどがあげられる。
【００５４】
図２及び図３に示す飛躍抑制手段２６は、第２の屈曲部２４の管底の形状が、水平部２５の管底と同一形状または同一に近い形状とされたものである。この場合、飛躍抑制手段２６によって第２の屈曲部２５の管底には、従来とは異なり水平部２５への大きな勾配が設けられていないため、落下した排水は第２の屈曲部２４の外周側の内面に沿うことなく、第２の屈曲部２４の管底と衝突し水勢が弱められる。したがって、排水は、水平部２５の管頂に向かって飛び上がることがなく、排水集合管継手１０を飛び越えて対向する横枝管３０に侵入するといったことが発生しない。
【００５５】
なお、第２の屈曲部２４には、角部分の内面２４ａに多少のＲ形状が設けられていてもよく、その場合、水平部２５の内径に対して、１０〜５０％の半径のＲ形状とするのが好ましい。
【００５６】
このＲ形状の半径が１０％未満の場合、落下してきた排水が水平部２５の方にうまく押し出されずに、角部分の内面２４ａに汚物が滞留してしまう虞があり、一方、５０％を超えると落下してきた排水の水勢を抑制することができず、対向する横枝管３０内に排水が流入する虞がある。
【００５７】
上記水平部２５は、一端が第２の屈曲部２４に接続され他端が排水集合管継手１０に接続されており、落下部２３からの排水を排水集合管継手１０に導く部分である。
【００５８】
なお、落下部２３には、図４および図５に示すように、落下する排水を第２の屈曲部２４の端面へと導く排水案内手段２８が設けられていてもよい。
【００５９】
これにより、排水は排水案内手段２８によって第２の屈曲部２４の端面に衝突し水平部２５方向に跳ね返るため、排水を水平部２５へと円滑に流すことができる。
【００６０】
すなわち、上記飛躍抑制手段２６が設けられると、落下した排水が第２の屈曲部２４の管底に衝突して上方に跳ね返った後、次いで落下する排水と衝突するため、落下部２３で排水が詰まったような状態となり、水平部２５へ排水が流れにくくなることがある。これにより落下部２３とトイレ４０との間の横枝管２０が排水によって満管状態となると、室トイレ４０の排水口から水が溢れ出したり、最終的に排水が流れる際にサイフォン現象によりトイレ４０の封水まで流れてしまったりするといった虞があった。
【００６１】
しかしながら、排水案内手段２８が落下する排水を第２の屈曲部２４の端面へと導くため、排水は第２の屈曲部２４の端面に衝突した後、水平部２５方向へ跳ね返り、水平部２５へと円滑に流れていくこととなり、次々と落下してくる排水の流れは妨げられず、落下部２３とトイレ４０との間の横枝管２０が排水によって満管状態となることがない。
【００６２】
また、上記飛躍抑制手段２６が設けられると、第２の屈曲部２４の外周側の内面を水が流れていかないため、汚物が滞留しやすかったが、落下部２３に排水案内手段２６が設けられていることにより、第２の屈曲部２４の外周側の内面にも水勢の強い排水が流れるようになり、汚物をその水勢によって排水集合管継手１０へと流すことができ、横枝管２０内に汚物が滞留するといったことを防止することができる。
【００６３】
［実施の形態２］
本実施の形態の排水システムを壁排水タイプのトイレ配管に適用した例について、図６乃至図９に基づいて説明する。
【００６４】
図６（ａ）は本実施の形態における排水システムを示す側面図、図６（ｂ）は排水システムを示す平面図、図７乃至図９は排水システムにおける各実施例の第２の屈曲部周辺を示す図であり、これら図７乃至図９において、それぞれ、（ａ）は平面図、（ｂ）は側断面図、および、（ｃ）は正面図である。
【００６５】
本実施の形態の排水システム１は、排水集合管継手１０と、対向する２本の横枝管２０、３０とを備えている。
【００６６】
なお、本実施の形態における排水システム１は、上方視において、後述する横枝管２０の導入部２１と水平部２５との管軸のなす角が９０度以上から１３５度未満の間の角度で配置されたものである。
【００６７】
上記排水集合管継手１０は、多層建築物などの各階を縦方向に貫いて配管された排水立て管５０に対して各階ごとに介設されたものである。排水集合管継手１０には後述する横枝管２０、３０が複数本接続されており、そのうち２本の横枝管２０、３０の管口が排水集合管継手１０内で略同じ高さで対向状態となっている。
【００６８】
上記横枝管２０は、一端が住居内のトイレ、風呂、流し、および、洗面台などの室内衛生設備（本実施の形態においてはトイレ４０）の排水管４１に接続され、他端が排水集合管継手１０に接続されている。また、横枝管２０は、図６に示すように、導入部２１、第１の屈曲部２２、落下部２３、第２の屈曲部２４及び水平部２５を備えており、トイレ４０からの排水が、その排水管４１に接続された導入部２１を通り、第１の屈曲部２２により下方向に曲げられ落下部２３を落下し、次いで第２の屈曲部２４により水平方向に曲げられ水平部２５を通って排水集合管継手１０へと流れるような構造を有している。
【００６９】
上記導入部２１は、トイレ排水管４１に接続される部分である。また、導入部２１は、トイレ４０の設置場所に応じて、上方視において、横枝管２０の導入部２１と水平部２５との管軸のなす角が９０度以上から１３５度未満の間の角度となるように、後述する第１の屈曲部２２と接続される。
【００７０】
上記第１の屈曲部２２は、導入部２１と後述する落下部２３とを接続する部分である。
【００７１】
上記落下部２３は、導入部２１の排水を後述する水平部２５の高さ位置まで落下させるための部分である。
【００７２】
上記第２の屈曲部２４は、落下部２３と後述する水平部２５とを接続する部分である。また、第２の屈曲部２４には、落下部２３からの排水が水平部２５の管壁に沿って旋回しながら流れるのを抑制する旋回流抑制手段２７が設けられている。
【００７３】
なお、第２の屈曲部２４には、角部分の内面２４ａに多少のＲ形状が設けられていてもよく、その場合、水平部２５の内径に対して、１０〜５０％の半径のＲ形状とするのが好ましい。
【００７４】
このＲ形状の半径が１０％未満の場合、落下してきた排水が水平部２５の方にうまく押し出されずに、角部分の内面２４ａに汚物が滞留してしまう虞があり、一方、５０％を超えると落下してきた排水の水勢を抑制することができず、対向する横枝管３０内に排水が流入する虞がある。
【００７５】
上記旋回流抑制手段２７は、落下部からの排水が後述する水平部２５の管壁に沿って旋回しながら流れるのを抑制するものであれば特に限定するものではなく、例えば、図７に示すような旋回流抑制手段２７などがあげられる。
【００７６】
図７に示す旋回流抑制手段２７は、第２の屈曲部２４の管底の形状が、水平部２５の管底と同一形状または同一に近い形状とされたものである。
【００７７】
この場合、旋回流抑制手段２７によって第２の屈曲部２４の管底には、従来とは異なり水平部２５方向への大きな勾配が設けられていないため、落下した排水は第２の屈曲部２４の管底に沿ってその場で旋回しようとするが、その排水は第２の屈曲部２４の外周側の内面に沿って強い水勢のまま水平部２５へと流れるといったことがない。すなわち、第２の屈曲部２４の管底に沿ってその場で旋回しようとする排水は、次いで落下してくる排水と衝突し、その旋回が抑制されるため、旋回流とならずに水平部２５へと流れることとなる。したがって、排水は、水平部２５の管壁に沿って旋回して流れるといったことがなく、排水集合管継手１０を飛び越えて対向する横枝管３０に侵入するといったことが発生しない。
【００７８】
上記水平部２５は、一端が第２の屈曲部２４に接続され他端が排水集合管継手１０に接続されており、落下部２３からの排水を排水集合管継手１０に導く部分である。
【００７９】
なお、落下部２３には、図８に示すように、落下する排水を第２の屈曲部２４の端面へと導く排水案内手段２８が設けられ、旋回流抑制手段２７は、さらに、排水案内手段２８により第２の屈曲部２４の端面に導かれた排水と衝突する排水衝突手段２９が第２の屈曲部２４の端面に設けられたものであってもよい。
【００８０】
これにより、排水は排水案内手段２８によって排水衝突手段２９に衝突し水平部２５方向に跳ね返るため、排水を水平部２５へと円滑に流すことができる。
【００８１】
すなわち、上記旋回抑制手段２７が設けられると、落下した排水が第２の屈曲部２４の管底に沿ってその場で旋回した後、次いで落下する排水と衝突するため、落下部２３で排水が詰まったような状態となり、水平部２５へ排水が流れにくくなることがある。これにより落下部２３とトイレ４０との間の横枝管２０が排水によって満管状態となると、トイレ４０の排水口から水が溢れ出したり、最終的に排水が流れる際にサイフォン現象によりトイレ４０の封水まで流れてしまったりするといった虞があった。
【００８２】
しかしながら、排水案内手段２８が落下する排水を排水衝突手段２９へと導くため、排水は排水衝突手段２９に衝突した後、水平部２５方向へ跳ね返り、旋回流となることなく水平部２５へと円滑に流れていくこととなり、次々と落下してくる排水の流れは妨げられず、落下部２３とトイレ４０との間の横枝管２０が排水によって満管状態となることがない。
【００８３】
また、上記旋回流抑制手段２７が設けられると、第２の屈曲部２４の外周側の内面を水が流れていかないため、汚物が滞留しやすかったが、落下部２３に排水案内手段２８が設けられていることにより、第２の屈曲部２４の外周側の内面にも水勢の強い排水が流れるようになり、汚物をその水勢によって排水集合管継手１０へと流すことができ、横枝管２０内に汚物が滞留するといったことを防止することができる。
【００８４】
また、排水衝突手段２９は、第２の屈曲部２４の端面が水平部２５の管軸と垂直な平面または垂直に近い平面とされたものであってもよい。この場合、排水衝突手段２９は簡単な構造であるので、容易に形成することができ、製造コストを抑えることができる。
【００８５】
また、排水衝突手段２９は、図９に示すように、さらに、第２の屈曲部２４の端面が外側に膨出されたものであってもよい。この場合、排水案内手段２８により導かれた排水は排水衝突手段２９に衝突し跳ね返った後、第２の屈曲部２４の膨出された領域で次いで排水案内手段２８により導かれた排水に衝突するため、排水の水勢を弱めることができる。したがって、排水が排水集合管継手１０を飛び越えて対向する横枝管３０へ流入するといったことが発生しない。
【図面の簡単な説明】
【００８６】
【図１】本発明の実施の形態１における排水システムを示す概略図である。
【図２】実施の形態１における排水システムの第２の屈曲部周辺を示す概略図である。
【図３】実施の形態１における排水システムの他の例の第２の屈曲部周辺を示す概略図である。
【図４】実施の形態１における排水システムのさらに他の例の第２の屈曲部周辺を示す概略図である。
【図５】実施の形態１における排水システムのさらに他の例の第２の屈曲部周辺を示す概略図である。
【図６】本発明の実施の形態２における排水システムを示す概略図である。
【図７】実施の形態２における排水システムの第２の屈曲部周辺を示す概略図である。
【図８】実施の形態２における排水システムの他の例の第２の屈曲部周辺を示す概略図である。
【図９】実施の形態２における排水システムのさらに他の例の第２の屈曲部周辺を示す概略図である。
【図１０】従来の壁排水のトイレの配管を示す概略図である。
【図１１】従来の壁排水のトイレの配管の他の例を示す概略図である。
【図１２】従来の壁排水のトイレの配管のさらに他の例を示す概略図である。
【符号の説明】
【００８７】
１        排水システム
１０      排水集合管継手
２０      横枝管
２１      導入部
２２      第１の屈曲部
２３      落下部
２４      第２の屈曲部
２５      水平部
２６      飛躍抑制手段
２７      旋回流抑制手段
２８      排水案内手段
２９      排水衝突手段
３０      対向する横枝管
４０      トイレ
４１      トイレの排水管
【図１】
2008081925.tif 000003
【図２】
2008081925.tif 000004
【図３】
2008081925.tif 000005
【図４】
2008081925.tif 000006
【図５】
2008081925.tif 000007
【図６】
2008081925.tif 000008
【図７】
2008081925.tif 000009
【図８】
2008081925.tif 000010
【図９】
2008081925.tif 000011
【図１０】
2008081925.tif 000012
【図１１】
2008081925.tif 000013
【図１２】
2008081925.tif 000014